(57)【要約】      （修正有）【課題】天板部に重厚な金属製板を用いつつも、容易に天板部を水平に保持することができる耐衝撃机を提供する。【解決手段】天板部と、天板部を支持する複数の脚部とを備える耐衝撃机であって、脚部の天板部に接続されていない方の一端に接続しているボールジョイント部７をさらに備え、ボールジョイント部は、球受け曲面部１５と、床に接する平面部１７とを有する受け皿部９と、球受け曲面部に回転自在な状態で一部が収納される球状の球部１１とを有し、天板は、少なくとも一部が金属製である。【選択図】図２
0003225710.tif 000002
【実用新案登録請求の範囲】
【請求項１】
天板部と、前記天板部を支持する複数の脚部とを備える耐衝撃机であって、
前記脚部の前記天板部に接続されていない方の一端に接続しているボールジョイント部をさらに備え、
前記ボールジョイント部は、
球受け曲面部と、床に接する平面部とを有する受け皿部と、
前記球受け曲面部に回転自在な状態で一部が収納される球状の球部とを有し、
前記天板は、少なくとも一部が金属製である、耐衝撃机。
【請求項２】
前記ボールジョイント部は、ボルトとナットを有する接続部を有し、
前記脚部は、前記ボルトを受けるめねじ部を有し、
前記脚部と前記ボールジョイント部は、前記めねじ部に前記ボルトを締め付けることで接続されており、
前記接続部は、前記ボルトの頭部と先端部の間のねじ山を覆うねじ山カバーをさらに有する、請求項１記載の耐衝撃机。
【請求項３】
前記天板部の表面の少なくとも一部に、木目の装飾層部をさらに備える、請求項１又は２記載の耐衝撃机。
【考案の詳細な説明】
【技術分野】
【０００１】
本考案は、机に関するものであり、特に地震発生時に身を隠すための安全な空間を提供できる耐衝撃性を有する机に関するものである。
【背景技術】
【０００２】
地震発生時には、落下物から身を守るために、頑丈な机の下に潜った状態で揺れの収束を待つことが推奨されている。そのため、従来から、骨組に金属製材料を用いた頑丈な机が知られている（特許文献１）。
【０００３】
また、天板部が水平に保持されるように、床の凹凸や傾斜に合わせて調節可能であるねじ式アジャスター付きの脚部を備える机が知られている（特許文献２）。
【先行技術文献】
【特許文献】
【０００４】
【特許文献１】特開平９−２０１２３７号公報
【特許文献２】特開２０００−６５０２０号公報
【考案の概要】
【考案が解決しようとする課題】
【０００５】
本願考案者は、特許文献１に記載されている机と比較して、上からの衝撃にさらに強い耐衝撃机を提供するために、骨組だけでなく、天板部も金属製材料で構成することを検討した。
【０００６】
しかしながら、天板部に金属製材料を用いた上で、特許文献２に記載されているようなねじ式アジャスター付きの脚部を採用すると、天板部の重量により脚部に大きな負荷がかかることとなり、脚部のねじが下に押し下げられてしまう。このことは、通常使用時に徐々に天板部が傾く不都合を生じることに加えて、高さを調節する際にねじを緩めた途端に脚部が天板部の重みで短くなりすぎる不都合を生じさせる。そのため、天板部の水平を保つための脚部の長さ調節作業が困難となる。
【０００７】
そこで、本考案は、天板部に重厚な金属製板を用いつつも、容易に高さを調節して天板部を水平に保持することができる耐衝撃机を提供することを目的とする。
【課題を解決するための手段】
【０００８】
本考案の第１の観点は、天板部と、前記天板部を支持する複数の脚部とを備える耐衝撃机であって、前記脚部の前記天板部に接続されていない方の一端に接続しているボールジョイント部をさらに備え、前記ボールジョイント部は、球受け曲面部と、床に接する平面部とを有する受け皿部と、前記球受け曲面部に回転自在な状態で一部が収納される球状の球部とを有し、前記天板は、少なくとも一部が金属製である。
【０００９】
本考案の第２の観点は、本考案の第２の観点の耐衝撃机であって、前記ボールジョイント部は、ボルトと複数のナットを含む接続部を有し、前記脚部は、前記ボルトを受けるめねじ部を有し、前記脚部と前記ボールジョイント部は、前記めねじ部に前記ボルトを締め付けることで接続している。
【００１０】
本考案の第３の観点は、本考案の第１又は第２の観点の耐衝撃机であって、前記天板部の表面の少なくとも一部に、木目の装飾層部をさらに備える。
【考案の効果】
【００１１】
本考案の第１の観点によれば、天板部の重量により負荷がかかっている脚の長さを調整しなくても、ボールジョイント部により容易に天板部を水平に保持することが可能になる。なぜならば、ボールジョイント部の受け皿部が、球部が押し下げられないように支持するためである。また、接している床の凹凸や傾斜に合わせて傾いても、球部は受け皿部に対して回転自在であり、脚部及び天板部が受け皿部に合わせて傾くことはないためである。
【００１２】
したがって、地震発生時に、従来以上に身を隠すための安全な空間を提供することが可能となる。
【００１３】
本考案の第２の観点によれば、ボールジョイント部のボルトと脚部のめねじ部により脚部の長さを調節することを可能としつつ、ねじ山カバーがナットが天板部の重みで押し下げられることを防止する。そのため、身を隠すための安全な空間を提供することがさらに容易となる。
【００１４】
本考案の第３の観点によれば、天板部に金属製板を用いつつも、温かみのある木目のデザインの机を提供することが可能になる。
【図面の簡単な説明】
【００１５】
【図１】本考案の耐衝撃机の六面図である。
【図２】本考案の耐衝撃机のボールジョイント部の一例を示す図である。
【図３】本考案の耐衝撃机の使用状態の一例を示す図である。
【考案を実施するための形態】
【００１６】
以下、図を参照して本考案の実施形態である耐衝撃机について詳細に説明する。なお、本考案の実施の形態は、以下の記載に限定されるものではない。
【実施例１】
【００１７】
図１は、本考案の耐衝撃机１（本願請求項における「耐衝撃机」の一例）の六面図であって、（ａ）正面図、（ｂ）背面図、（ｃ）左側面図、（ｄ）右側面図、（ｅ）平面図、（ｆ）底面図である。
【００１８】
耐衝撃机１は、天板部３（本願請求項における「天板部」の一例）と、天板部を支持する４本の脚部５（本願請求項における「脚部」の一例）と、ボールジョイント部７（本願請求項における「ボールジョイント部」の一例）を備える。天板部３は金属製であり、本実施例では鉄製である。また、天板部３の表面に木目のデザインのシートが貼られている。脚部５は金属製である。脚部５の上端は天板部３に溶接されていて、下端（本願請求項における「一端」の一例）はボールジョイント部７に接続している。
【００１９】
図２は、ボールジョイント部の一例を示す図である。ボールジョイント部７は、受け皿部９（本願請求項における「受け皿部」の一例）と、球部１１（本願請求項における「球部」の一例）と、接続部１３（本願請求項における「接続部」の一例）を備える。受け皿部９は、球受け曲面部１５（本願請求項における「球受け曲面部」の一例）と、床に接する平面部１７を有している。球部１１は、球状の金属であり、受け皿部９の球受け曲面部１５に回転自在な状態で一部が収納されている。接続部１３は、ボルト１９（本願請求項における「ボルト」の一例）と、ボルト１９に通されたナット２１（本願請求項における「ナット」の一例）で構成されている。ボルト１９の先端部（本願請求項における「先端部」の一例）は脚部５のめねじ部２３（本願請求項における「めねじ部」の一例）に接続していて、頭部（本願請求項における「頭部」の一例）は球部１１に接続している。また、接続部１３は、ボルト１９の頭部と先端部の間のねじ山を覆うねじ山カバー２５（本願請求項における「ねじ山カバー」の一例）を有する。
【００２０】
図３は、本考案の耐衝撃机の使用状態の一例を示す図である。図３に示すように、脚部５の下端にボールジョイント部７を備えるため、天板部３が重くても脚部の高さが変わることなく支えることが可能である。また、ボールジョイント部７の受け皿部９が接している床に多少の凹凸や傾斜があっても、球部１１が受け皿部９に対して自在に回転することで、脚部５が傾くことはなく、天板部３を水平に保持することができる。
【００２１】
また、ボールジョイント部７のボルト１９と脚部５のめねじ部２３により脚部５の長さを調節することが可能である。さらに、ねじ山カバーがあることにより、ナットが天板部の重みで押し下げられることを防止する。そのため、耐衝撃机１は、身を隠すための安全な空間を確実に提供できる。
【００２２】
さらに、天板部３に金属製板を用いつつも、表面に木目のデザインのシート（本願請求項における「装飾層部」の一例）が貼られているため、鉄製でありながら温かみのある木目のデザインの机を提供することが可能になる。
【００２３】
しかも、球部１１の一部にボルト１９の頭部が接続されているため、球部１１の受け皿部９に対する回転自由度は、一定の制約を受ける。これにより、必要以上の回転を防止することもできる。この回転自由度の制約は、球部１１が球受け曲面部１５に覆われる表面積を変更することにより制御可能である。
【符号の説明】
【００２４】
１    耐衝撃机
３    天板部
５    脚部
７    ボールジョイント部
９    受け皿部
１１  球部
１３  接続部
１５  球受け曲面部
１７  平面部
１９  ボルト
２１  ナット
２３  めねじ部
２５  ねじ山カバー
【図１】
0003225710.tif 000003
【図２】
0003225710.tif 000004
【図３】
0003225710.tif 000005